(57)【要約】【課題】ユーザの作業を容易にして発行処理を行える会員発行サーバ、会員発行プログラム及び携帯情報端末を提供する。【解決手段】携帯情報端末１に対して通信ネットワークＮを介して接続される会員発行サーバ４は、会員登録によって提供を受けることが可能なサービスのサービス情報を複数記憶し、複数のサービス情報の各々に対して近距離無線通信の各通信規格又は複数の通信規格を対応付けて記憶するサービステーブル５１と、携帯情報端末１が有する通信規格を、携帯情報端末から受信する通信規格受信部４１と、通信規格受信部４１が受信した通信規格に対応するサービス情報を、サービステーブル５１から抽出するサービス情報抽出部４２と、サービス情報抽出部４２が抽出したサービス情報に対応し、携帯情報端末１を使用したサービスの提供を受けるための発行処理を、携帯情報端末のセキュアな記憶領域に対して行う発行処理部４５とを備える。【選択図】図１
2014219732.tif 000002
【特許請求の範囲】
【請求項１】
携帯情報端末に対して通信ネットワークを介して接続される会員発行サーバであって、
会員登録によって提供を受けることが可能なサービスのサービス情報を複数記憶し、複数の前記サービス情報の各々に対して近距離無線通信の各通信規格又は複数の通信規格を対応付けて記憶するサービス情報記憶部と、
携帯情報端末が有する前記通信規格を、前記携帯情報端末から受信する通信規格受信部と、
前記通信規格受信部が受信した前記通信規格に対応する前記サービス情報を、前記サービス情報記憶部から抽出するサービス情報抽出部と、
前記サービス情報抽出部が抽出した前記サービス情報に対応し、前記携帯情報端末を使用した前記サービスの提供を受けるための発行処理を、前記携帯情報端末のセキュアな記憶領域に対して行う発行処理部と、
を備えること、
を特徴とする会員発行サーバ。
【請求項２】
請求項１に記載の会員発行サーバであって、
前記サービス情報抽出部が抽出した前記サービス情報を、前記携帯情報端末に送信するサービス情報送信部を備え、
前記発行処理部は、前記携帯情報端末により選択された前記サービス情報に対する発行指示を前記携帯情報端末から受信したことに応じて、前記サービス情報の前記発行処理を、前記携帯情報端末に対して行うこと、
を特徴とする会員発行サーバ。
【請求項３】
請求項１又は請求項２に記載の会員発行サーバであって、
通信ネットワークを介して前記サービスを行うサービス提供サーバに接続可能であり、
前記サービス情報抽出部が抽出した前記サービス情報の会員登録処理を、前記サービス提供サーバとの間で行う会員登録処理部を備え、
前記発行処理部は、前記会員登録処理部による処理が正常に行われたことに応じて、前記発行処理を行うこと、
を特徴とする会員発行サーバ。
【請求項４】
請求項３に記載の会員発行サーバであって、
前記会員登録処理部は、前記携帯情報端末から受信したユーザの個人登録情報を用いて、前記会員登録処理を行うこと、
を特徴とする会員発行サーバ。
【請求項５】
請求項１から請求項４までのいずれかに記載の会員発行サーバであって、
前記発行処理部が行う前記通信規格に対応した発行処理は、
前記携帯情報端末との間で直接行う第１発行処理と、
通信ネットワークを介して接続可能な発行処理サーバへの認証要求を行い、前記発行処理サーバの接続情報を前記発行処理サーバから受信して前記携帯情報端末に送信することで、前記携帯情報端末と前記発行処理サーバとの間での発行処理を誘導する第２発行処理と、
のうち少なくとも１つであること、
を特徴とする会員発行サーバ。
【請求項６】
会員発行サーバに対して通信可能に接続され、ユーザが携行可能なコンピュータにおいて実行する会員発行プログラムであって、
前記コンピュータを、
前記コンピュータが有する近距離無線通信の通信規格を確認する通信規格確認手段と、
前記通信規格確認手段によって確認した前記通信規格を、前記会員発行サーバに送信する通信規格送信手段と、
前記会員発行サーバによる処理に応じて、前記コンピュータを使用したサービスの提供を受けるための発行処理を、セキュアな記憶領域に対して行う発行処理手段と、
して機能させるための会員発行プログラム。
【請求項７】
請求項６に記載の会員発行プログラムであって、
前記コンピュータを、
このコンピュータの前記通信規格に対応し、会員登録によって提供を受けることが可能な一又は複数のサービスのサービス情報を、前記会員発行サーバから受信するサービス情報受信手段と、
前記サービス情報受信手段が受信した前記一又は複数のサービス情報を表示させるサービス情報表示手段と、
前記サービス情報表示手段により表示された前記一又は複数のサービス情報のうち少なくとも１つ以上の前記サービス情報の発行指示を操作手段から受け付けたことに応じて、前記サービス情報の発行指示を、前記会員発行サーバに送信する発行指示送信手段と、
して機能させること、
を特徴とする会員発行プログラム。
【請求項８】
請求項７に記載の会員発行プログラムであって、
前記発行処理が行われたサービスの前記サービス情報を記憶するサービス記憶部を備え、
前記サービス情報表示手段を、前記サービス記憶部を参照して、前記サービス情報受信手段が受信した前記一又は複数のサービス情報のうち、前記発行処理が行われていない前記サービス情報を表示するように機能させること、
を特徴とする会員発行プログラム。
【請求項９】
請求項７又は請求項８に記載の会員発行プログラムであって、
前記コンピュータを、
前記発行指示送信手段により送信した発行指示に対応する前記サービス情報のサービスの提供を受けるための会員登録に必要なユーザの個人登録情報を、前記会員発行サーバに送信するユーザ情報送信手段と、
して機能させ、
前記発行処理手段を、前記ユーザ情報送信手段により送信した前記ユーザの個人登録情報による会員登録処理が正常に行われた旨を、前記会員発行サーバから受信した場合に、前記発行処理を行うように機能させること、
を特徴とする会員発行プログラム。
【請求項１０】
請求項６から請求項９までのいずれかに記載の会員発行プログラムにおいて、
前記会員発行サーバを経由する第１工程と、
前記コンピュータに対して通信可能な発行処理サーバを経由する、前記第１工程とは異なる第２工程と、
を備え、
前記発行処理手段を、前記通信規格に応じて前記第１工程と前記第２工程とを選択して、前記発行処理を行う工程選択手段として機能させること、
を特徴とする会員発行プログラム。
【請求項１１】
請求項１０に記載の会員発行プログラムにおいて、
前記発行処理手段を、
発行処理要求を前記会員発行サーバに送信することで、前記工程選択手段により選択された前記第１工程による発行処理を、前記会員発行サーバとの間で行うように機能させ、
発行処理要求を前記会員発行サーバに送信し、前記発行処理サーバへの接続情報を前記会員発行サーバから受信することで、前記工程選択手段により選択された前記第２工程による発行処理を、前記発行処理サーバとの間で行うように機能させること、
を特徴とする会員発行プログラム。
【請求項１２】
請求項６から請求項１１までのいずれかに記載の会員発行プログラムを記憶した記憶部と、
前記会員発行プログラムを実行する制御部と、
を備える携帯情報端末。
【発明の詳細な説明】
【技術分野】
【０００１】
本発明は、会員発行サーバ、会員発行プログラム及び携帯情報端末に関する。
【背景技術】
【０００２】
従来、例えば、おサイフケータイ（登録商標）といわれる携帯情報端末のＩＣチップでの非接触通信を利用した各種のサービスが多く存在する。例えば、電子バリューが記録されたＩＣチップを内蔵した携帯情報端末を用いて、鉄道会社の自動改札機に対して非接触の通信をすることで乗車料金を支払うものが提案されている（例えば、特許文献１）。
【先行技術文献】
【特許文献】
【０００３】
【特許文献１】特開２０１１−１９２２９３号公報
【発明の概要】
【発明が解決しようとする課題】
【０００４】
上述のサービスの提供を受けるには、携帯情報端末においてＩＣチップにそのサービスに関する会員情報の発行処理を行う必要がある。また、上述のようなＩＣチップでの非接触通信を利用したサービスは、複数存在する。これらのサービスを受けるために、ユーザは、サービスごとに異なるアプリケーションプログラムをダウンロードしなければならず、ユーザの作業が煩雑であった。
【０００５】
そこで、本発明は、ユーザの作業を容易にして発行処理を行える会員発行サーバ、会員発行プログラム及び携帯情報端末を提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、携帯情報端末（１，２０１）に対して通信ネットワーク（Ｎ）を介して接続される会員発行サーバ（４）であって、会員登録によって提供を受けることが可能なサービスのサービス情報を複数記憶し、複数の前記サービス情報の各々に対して近距離無線通信の各通信規格又は複数の通信規格を対応付けて記憶するサービス情報記憶部（５１）と、携帯情報端末が有する前記通信規格を、前記携帯情報端末から受信する通信規格受信部（４１）と、前記通信規格受信部が受信した前記通信規格に対応する前記サービス情報を、前記サービス情報記憶部から抽出するサービス情報抽出部（４２）と、前記サービス情報抽出部が抽出した前記サービス情報に対応し、前記携帯情報端末を使用した前記サービスの提供を受けるための発行処理を、前記携帯情報端末のセキュアな記憶領域（２ｂ，３）に対して行う発行処理部（４５）と、を備えること、を特徴とする会員発行サーバである。
第２の発明は、第１の発明の会員発行サーバ（４）であって、前記サービス情報抽出部（４２）が抽出した前記サービス情報を、前記携帯情報端末（１）に送信するサービス情報送信部（４３）を備え、前記発行処理部（４５）は、前記携帯情報端末により選択された前記サービス情報に対する発行指示を前記携帯情報端末から受信したことに応じて、前記サービス情報の前記発行処理を、前記携帯情報端末に対して行うこと、を特徴とする会員発行サーバである。
第３の発明は、第１の発明又は第２の発明の会員発行サーバ（４）であって、通信ネットワーク（Ｎ）を介して前記サービスを行うサービス提供サーバ（６）に接続可能であり、前記サービス情報抽出部（４２）が抽出した前記サービス情報の会員登録処理を、前記サービス提供サーバとの間で行う会員登録処理部（４４）を備え、前記発行処理部（４５）は、前記会員登録処理部による処理が正常に行われたことに応じて、前記発行処理を行うこと、を特徴とする会員発行サーバである。
第４の発明は、第３の発明の会員発行サーバ（４）であって、前記会員登録処理部（４４）は、前記携帯情報端末（１）から受信したユーザの個人登録情報を用いて、前記会員登録処理を行うこと、を特徴とする会員発行サーバである。
第５の発明は、第１の発明から第４の発明までのいずれかの会員発行サーバ（４）であって、前記発行処理部（４５）が行う前記通信規格に対応した発行処理は、前記携帯情報端末（１）との間で直接行う第１発行処理と、通信ネットワーク（Ｎ）を介して接続可能な発行処理サーバ（７）への認証要求を行い、前記発行処理サーバの接続情報を前記発行処理サーバから受信して前記携帯情報端末に送信することで、前記携帯情報端末と前記発行処理サーバとの間での発行処理を誘導する第２発行処理と、のうち少なくとも１つであること、を特徴とする会員発行サーバである。
【０００８】
第６の発明は、会員発行サーバ（４）に対して通信可能に接続され、ユーザが携行可能なコンピュータ（１，２０１）において実行する会員発行プログラム（２１，２２１）であって、前記コンピュータを、前記コンピュータが有する近距離無線通信の通信規格を確認する通信規格確認手段（１１）と、前記通信規格確認手段によって確認した前記通信規格を、前記会員発行サーバに送信する通信規格送信手段（１２）と、前記会員発行サーバによる処理に応じて、前記コンピュータを使用したサービスの提供を受けるための発行処理を、セキュアな記憶領域（２ｂ，３）に対して行う発行処理手段（１７）と、して機能させるための会員発行プログラムである。
第７の発明は、第６の発明の会員発行プログラム（２１，２２１）であって、前記コンピュータ（１，２０１）を、このコンピュータの前記通信規格に対応し、会員登録によって提供を受けることが可能な一又は複数のサービスのサービス情報を、前記会員発行サーバ（４）から受信するサービス情報受信手段（１３）と、前記サービス情報受信手段が受信した前記一又は複数のサービス情報を表示させるサービス情報表示手段（１４）と、前記サービス情報表示手段により表示された前記一又は複数のサービス情報のうち少なくとも１つ以上の前記サービス情報の発行指示を操作手段（３０）から受け付けたことに応じて、前記サービス情報の発行指示を、前記会員発行サーバに送信する発行指示送信手段（１５）と、して機能させること、を特徴とする会員発行プログラムである。
第８の発明は、第７の発明の会員発行プログラム（２２１）であって、前記発行処理が行われたサービスの前記サービス情報を記憶するサービス記憶部（２２２）を備え、前記サービス情報表示手段（２１４）を、前記サービス記憶部を参照して、前記サービス情報受信手段（１３）が受信した前記一又は複数のサービス情報のうち、前記発行処理が行われていない前記サービス情報を表示するように機能させること、を特徴とする会員発行プログラムである。
第９の発明は、第７の発明又は第８の発明の会員発行プログラム（２１，２２１）であって、前記コンピュータ（１，２０１）を、前記発行指示送信手段（１５）により送信した発行指示に対応する前記サービス情報のサービスの提供を受けるための会員登録に必要なユーザの個人登録情報を、前記会員発行サーバ（４）に送信するユーザ情報送信手段（１６）と、して機能させ、前記発行処理手段（１７）を、前記ユーザ情報送信手段により送信した前記ユーザの個人登録情報による会員登録処理が正常に行われた旨を、前記会員発行サーバから受信した場合に、前記発行処理を行うように機能させること、を特徴とする会員発行プログラムである。
第１０の発明は、第６の発明から第９の発明までのいずれかの会員発行プログラム（２１，２２１）において、前記会員発行サーバ（４）を経由する第１工程と、前記コンピュータ（１，２０１）に対して通信可能な発行処理サーバ（７）を経由する、前記第１工程とは異なる第２工程と、を備え、前記発行処理手段（１７）を、前記通信規格に応じて前記第１工程と前記第２工程とを選択して、前記発行処理を行う工程選択手段（１７ａ）として機能させること、を特徴とする会員発行プログラムである。
第１１の発明は、第１０の発明の会員発行プログラム（２１，２２１）において、前記発行処理手段（１７）を、発行処理要求を前記会員発行サーバ（４）に送信することで、前記工程選択手段（１７ａ）により選択された前記第１工程による発行処理を、前記会員発行サーバとの間で行うように機能させ、発行処理要求を前記会員発行サーバに送信し、前記発行処理サーバ（７）への接続情報を前記会員発行サーバから受信することで、前記工程選択手段により選択された前記第２工程による発行処理を、前記発行処理サーバとの間で行うように機能させること、を特徴とする会員発行プログラムである。
【０００９】
第１２の発明は、第６の発明から第１１の発明までのいずれかの会員発行プログラム（２１，２２１）を記憶した記憶部（２０，２２０）と、前記会員発行プログラムを実行する制御部（１０，２１０）と、を備える携帯情報端末（１，２０１）である。
【発明の効果】
【００１０】
本発明によれば、ユーザの作業を容易にして発行処理を行える会員発行サーバ、会員発行プログラム及び携帯情報端末を提供することができる。
【図面の簡単な説明】
【００１１】
【図１】第１実施形態に係る会員発行システムの全体構成を示す図である。
【図２】第１実施形態に係る携帯情報端末及び会員発行サーバの機能構成を示す図である。
【図３】第１実施形態に係る携帯情報端末のソフトウェアの構造を模式的に示した図である。
【図４】第１実施形態に係るサービステーブル及びユーザテーブルの例を示す図である。
【図５】第１実施形態に係る会員発行システムでの一連の処理を説明するための図である。
【図６】第１実施形態に係る会員発行システムのメイン処理のフローチャートである。
【図７】図６の続きである。
【図８】第１実施形態に係る携帯情報端末のタッチパネルでの表示例を示す図である。
【図９】第１実施形態に係る会員発行システムの会員登録処理のフローチャートである。
【図１０】第１実施形態に係る会員発行システムの会員証発行処理のフローチャートである。
【図１１】図１０の続きである。
【図１２】第２実施形態に係る携帯情報端末の機能構成を示す図である。
【図１３】第２実施形態に係る会員発行システムのメイン処理のフローチャートである。
【図１４】図１３の続きである。
【発明を実施するための形態】
【００１２】
以下、本発明を実施するための形態について、図を参照しながら説明する。なお、これは、あくまでも一例であって、本発明の技術的範囲はこれに限られるものではない。
（第１実施形態）
図１は、第１実施形態に係る会員発行システム１００の全体構成を示す図である。
会員発行システム１００は、携帯情報端末１を用いてある一又は複数のサービスの提供を受けるために、会員発行サーバ４が携帯情報端末１に対してそれらのサービスを提供するための発行処理を行うシステムである。また、会員発行システム１００は、携帯情報端末１のユーザがあるサービスの提供を受けるための会員登録を行っていない場合に、会員発行サーバ４を介して、あるサービスに対応するサービス提供サーバ６に対して会員登録処理を行うシステムである。
会員発行システム１００は、携帯情報端末１と、会員発行サーバ４と、サービス提供サーバ６と、発行処理サーバ７と、アプリ配信サーバ８と、ＵＩＭ（Ｕｓｅｒ  Ｉｄｅｎｔｉｔｙ  Ｍｏｄｕｌｅ）管理サーバ９とを備えている。サービス提供サーバ６は、複数有してもよく、例えば、提供するサービスごとにサーバを備えてよい。携帯情報端末１と、会員発行サーバ４と、サービス提供サーバ６と、発行処理サーバ７と、アプリ配信サーバ８と、ＵＩＭ管理サーバ９とは、通信ネットワークＮを介して通信可能に接続されている。
【００１３】
携帯情報端末１は、ある一又は複数のサービスをこの携帯情報端末１で使用可能にするための発行処理を行う端末である。そして、携帯情報端末１は、例えば、スマートフォンに代表される個人用の携帯コンピュータの機能を併せ持った携帯電話機である。
あるサービスとは、サービス提供事業者が行う会員向けのサービスである。サービスには、例えば、会員証、定期券、クレジットカード、クーポン、チケット、電子マネー等があるが、以下の説明では、そのうちの会員証の発行について説明する。携帯情報端末１のユーザは、この携帯情報端末１を用いてあるサービスの提供を受けるための会員証の発行処理を、携帯情報端末１の指示にしたがって携帯情報端末１から行う。
【００１４】
携帯情報端末１は、非接触で通信を行うＮＦＣ（Ｎｅａｒ  Ｆｉｅｌｄ  Ｃｏｍｍｕｎｉｃａｔｉｏｎ）チップ２ａ及びＦｅｌｉｃａ（登録商標）チップ２ｂと、ＵＩＭ（Ｕｓｅｒ  Ｉｄｅｎｔｉｔｙ  Ｍｏｄｕｌｅ）３とを有する。
ＮＦＣチップ２ａは、ＮＦＣの仕様により作成されたＩＣ（Ｉｎｔｅｇｒａｔｅｄ  Ｃｉｒｃｕｉｔ）チップである。ＮＦＣ規格（通信規格）（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップ２ａは、ＮＦＣ用アンテナ２ｔ（図２参照）により、ＮＦＣ規格による通信を利用して後述するリーダライタとの通信を行う。
Ｆｅｌｉｃａチップ２ｂは、Ｆｅｌｉｃａ機能が組み込まれたＩＣチップである。Ｆｅｌｉｃａチップ２ｂは、情報をセキュアに記憶する記憶領域である不揮発メモリと、無線通信チップとを内蔵している。Ｆｅｌｉｃａ規格（通信規格）では、１３．５６ＭＨｚの電磁波で通信し、１００ｍｍ程度のごく近距離での通信が可能である。
ＵＩＭ３は、携帯情報端末１を所有するユーザ個人を識別する情報が記録され、情報をセキュアに記憶する記憶媒体（記憶領域）である。ＵＩＭ３は、発行用アプリ２４（後述する）を記憶する。
【００１５】
会員発行サーバ４は、携帯情報端末１と、サービス提供サーバ６との間を仲介するサーバである。会員発行サーバ４は、サービス提供サーバ６が提供するサービスを受けようとする携帯情報端末１のユーザの個人登録情報により、サービス提供サーバ６のサービスに対して会員登録を行う。また、会員発行サーバ４は、会員登録後にＦｅｌｉｃａチップ２ｂに対応した会員証の発行処理を行う場合に、発行処理サーバ７と、携帯情報端末１との間で行われる発行処理を支援する。さらに、会員発行サーバ４は、会員登録後にＮＦＣチップ２ａに対応した会員証の発行処理を行う場合に、携帯情報端末１との間で発行処理を行う。また、会員証の発行処理とは、ＮＦＣチップ２ａ及びＦｅｌｉｃａチップ２ｂの少なくとも１つに対応するセキュアな領域に、サービスの提供を受けるために必要な会員番号等のＩＤ（識別情報）を書き込む処理を行うことをいう。
サービス提供サーバ６は、サービス提供事業者のサーバである。サービス提供サーバ６は、ユーザの会員登録処理を行い、携帯情報端末１を用いた会員証の発行を許可する。
発行処理サーバ７は、携帯情報端末１のＦｅｌｉｃａチップ２ｂに対して会員証の発行処理を行う。
【００１６】
アプリ配信サーバ８は、携帯情報端末１にダウンロードして使用するアプリケーションプログラム（以下、アプリ、ソフトウェアともいう。）を複数記憶する。アプリ配信サーバ８が記憶するアプリケーションプログラムには、携帯情報端末１に対して、会員登録から携帯情報端末１を用いたサービスの発行までの一連の処理を行うための会員発行アプリ２１（会員発行プログラム）（後述する）を含む。アプリ配信サーバ８は、携帯情報端末１に対して会員発行アプリ２１を配信する。
ＵＩＭ管理サーバ９は、携帯情報端末１の電気通信サービスを提供する通信事業者が管理するサーバである。ＵＩＭ管理サーバ９は、携帯情報端末１が有するＵＩＭ３のソフトウェアの管理を行う。ＵＩＭ管理サーバ９は、携帯情報端末１に対してＵＩＭ３のソフトウェアの１つである発行用アプリ２４（後述する）を配信する。
通信ネットワークＮは、例えば、インターネット回線であってよく、その一部が無線通信を行うものであってもよい。
【００１７】
次に、携帯情報端末１及び会員発行サーバ４の機能構成について説明する。
図２は、第１実施形態に係る携帯情報端末１及び会員発行サーバ４の機能構成を示す図である。
図３は、第１実施形態に係る携帯情報端末１のソフトウェアの構造を模式的に示した図である。
図４は、第１実施形態に係るサービステーブル５１及びユーザテーブル５２の例を示す図である。
携帯情報端末１は、上述したＮＦＣチップ２ａと、Ｆｅｌｉｃａチップ２ｂと、ＮＦＣ用アンテナ２ｔと、ＵＩＭ３との他に、制御部１０と、記憶部２０と、タッチパネル３０と、通信Ｉ／Ｆ（インタフェース）部３２とを備える。
ここで、ＵＩＭ３は、上述の発行用アプリ２４を記憶する。発行用アプリ２４は、ＮＦＣチップ２ａに対応した会員証の発行を行う際に、ＵＩＭ管理サーバ９からダウンロードされる。発行用アプリ２４は、ＮＦＣチップ２ａに対応した会員証の発行に必要なソフトウェアである。
【００１８】
制御部１０は、携帯情報端末１の全体を制御するＣＰＵ（中央処理装置）である。制御部１０は、記憶部２０に記憶されているオペレーティングシステム（ＯＳ）や各種アプリケーションプログラムを適宜読み出して実行することにより、上述したハードウェアと協働し、各種機能を実行する。
制御部１０は、通信規格確認部１１（通信規格確認手段）と、通信規格送信部１２（通信規格送信手段）と、サービス情報受信部１３（サービス情報受信手段）と、表示制御部１４（サービス情報表示手段）と、発行指示送信部１５（発行指示送信手段）と、ユーザ情報送信部１６（ユーザ情報送信手段）と、発行処理部１７（発行処理手段）とを備える。
【００１９】
通信規格確認部１１は、携帯情報端末１が有する近距離無線通信の通信規格を確認する。通信規格は、例えば、ＮＦＣ規格、Ｆｅｌｉｃａ規格といったものである。
通信規格送信部１２は、通信規格確認部１１が確認した携帯情報端末１の通信規格を、会員発行サーバ４に対して送信する。
サービス情報受信部１３は、会員発行サーバ４からサービス情報を受信する。受信するサービス情報は、携帯情報端末１の通信規格に対応するものである。
表示制御部１４は、サービス情報受信部１３が受信したサービス情報を、タッチパネル３０に表示させる。
発行指示送信部１５は、サービス情報の発行指示を、会員発行サーバ４に対して行う。
ユーザ情報送信部１６は、サービス情報のサービスの提供を受けるための会員登録に必要なユーザの個人登録情報を、会員発行サーバ４に対して送信する。
発行処理部１７は、通信規格確認部１１によって確認した通信規格に対応した会員証の発行処理を行う。発行処理部１７は、工程選択部１７ａ（工程選択手段）を備える。
工程選択部１７ａは、ＮＦＣチップ２ａに対応する工程（第１工程）と、Ｆｅｌｉｃａチップ２ｂに対応する工程（第２工程）とを選択する。
【００２０】
記憶部２０は、制御部１０が各種の処理を実行するために必要なプログラム、データ等を記憶するための半導体メモリ素子等の記憶領域である。
記憶部２０は、会員発行アプリ２１を備える。
会員発行アプリ２１は、携帯情報端末１に予めインストール済のソフトウェアである。また、会員発行アプリ２１は、アプリ配信サーバ８に対して通信をすることで、携帯情報端末１にダウンロードされるソフトウェアであってもよい。会員発行アプリ２１は、携帯情報端末１の制御部１０による各種機能を実行するためのプログラムである。
【００２１】
図３に示すように、携帯情報端末１には、ハードウェアを直接制御するソフトウェアとしてＯＳが搭載されている。会員発行アプリ２１は、ＯＳの上で実行されるソフトウェアである。会員発行アプリ２１は、ｗｇｔ２２（２２ａ，２２ｂ，２２ｃ，・・・，２２ｘ）（ウィジェット）を制御する。
ｗｇｔ２２は、会員発行アプリ２１の上で実行される小規模なソフトウェアである。ｗｇｔ２２は、サービスごとに有する。各ｗｇｔ２２は、携帯情報端末１の同じセキュアな記憶領域に記憶される。各ｗｇｔ２２は、会員発行アプリ２１を経由して、各々互換性がある。例えば、あるｗｇｔ２２が会員証のソフトウェアであって、別のｗｇｔ２２が会員証と同じサービス提供先のクーポンのソフトウェアである場合を考える。その場合には、会員証によるサービスと、クーポンによるサービスとを連携させることで、その両者のサービスを受けることができる。
【００２２】
なお、本発明でいうコンピュータとは、制御部、記憶装置等を備えた情報処理装置をいい、携帯情報端末１は、制御部１０、記憶部２０等を備えた情報処理装置であり、本発明のコンピュータの概念に含まれる。
図２に示すように、タッチパネル３０は、液晶パネル等で構成される表示部としての機能と、各種操作入力を行う入力部（操作手段）としての機能とを有する。
通信Ｉ／Ｆ部３２は、通信ネットワークＮを介して上述した各種のサーバとの通信を行うためのインタフェース部である。
【００２３】
会員発行サーバ４は、制御部４０と、記憶部５０とを備える。
制御部４０は、会員発行サーバ４の全体を制御するＣＰＵである。制御部４０は、記憶部５０に記憶されているＯＳやアプリケーションプログラムを適宜読み出して実行することにより、上述したハードウェアと協働し、各種機能を実行する。
制御部４０は、通信規格受信部４１と、サービス情報抽出部４２と、サービス情報送信部４３と、会員登録処理部４４と、発行処理部４５とを備える。
通信規格受信部４１は、携帯情報端末１からその携帯情報端末１の通信規格を受信する。
サービス情報抽出部４２は、通信規格受信部４１が受信した通信規格に対応するサービス情報を、サービステーブル５１（サービス情報記憶部）から抽出する。
【００２４】
サービス情報送信部４３は、サービス情報抽出部４２が抽出したサービス情報を、携帯情報端末１に送信する。
会員登録処理部４４は、サービス提供サーバ６との間でそのサービスの提供を受けるための会員登録処理を行う。会員登録処理には、携帯情報端末１のユーザの個人登録情報として、例えば、住所、氏名、性別、年齢等を用いる。
発行処理部４５は、会員証の発行処理を行う。発行処理部４５は、直接発行部４５ａと、誘導発行部４５ｂとを備える。
直接発行部４５ａは、携帯情報端末１のＵＩＭ３に対して、ＮＦＣチップ２ａに対応した会員証の発行処理（第１発行処理）を行う。
誘導発行部４５ｂは、携帯情報端末１と、発行処理サーバ７との間で行う会員証の発行処理（第２発行処理）を誘導する。なお、誘導発行部４５ｂにより、携帯情報端末１と、発行処理サーバ７との間で会員証の発行処理を行う。この発行処理は、携帯情報端末１のＦｅｌｉｃａチップ２ｂに対応した会員証の発行処理である。
【００２５】
記憶部５０は、制御部４０が各種の処理を実行するために必要なプログラム、データ等を記憶するためのハードディスク、半導体メモリ素子等の記憶領域である。
記憶部５０は、サービステーブル５１と、ユーザテーブル５２とを備える。
図４（ａ）に示すように、サービステーブル５１は、会員登録によって提供を受けることが可能なサービスのサービス情報を、１つのサービス情報を１レコードとして複数記憶する。そして、サービステーブル５１は、レコードに、そのサービスが対応する通信規格を有する。また、サービステーブル５１は、レコードごとに、そのサービスに対応するｗｇｔ２２のウィジェット名を有する。
なお、図４（ａ）のサービステーブル５１は、一例である。サービステーブルは、例えば、通信規格ごとに別テーブルにし、その通信規格に対応するサービス名を有してもよい。
【００２６】
図４（ｂ）に示すように、ユーザテーブル５２は、携帯情報端末１ごとに、会員証の発行処理が行われた情報を記憶する。ユーザテーブル５２は、ＵＩＭコードごとに、登録されたサービスのサービスコードと、通信規格と、会員番号と、発行日時とを記憶する。なお、ＵＩＭコードとは、ＵＩＭ３ごとに割り振られ、ＵＩＭ３を特定するコードである。つまり、ＵＩＭコードによって、携帯情報端末１が特定可能になる。また、通信規格の「○」は、発行済であり、「×」は、発行失敗であり、「−」は、対象外（その通信規格を有していない）である。
【００２７】
次に、会員発行システム１００の処理について説明する。
図５は、第１実施形態に係る会員発行システム１００での一連の処理を説明するための図である。
（Ａ）は、携帯情報端末１に対応するサービス情報を取得する処理である。
（＃１）携帯情報端末１の制御部１０は、アプリ配信サーバ８から会員発行アプリ２１をダウンロードする。
（＃２）携帯情報端末１の制御部１０は、会員発行アプリ２１を起動し、この携帯情報端末１の近距離無線通信の通信規格を確認する。
（＃３）会員発行サーバ４の制御部４０は、携帯情報端末１から通信規格を受信して、その通信規格に対応するサービス情報を抽出する。
【００２８】
次に、（Ｂ）は、携帯情報端末１のユーザによるサービスの会員登録処理である。
（＃４）携帯情報端末１の制御部１０は、会員発行サーバ４から受信したサービス情報をタッチパネル３０に表示させ、ユーザからサービス情報の選択を受け付ける。
（＃５）会員発行サーバ４の会員登録処理部４４は、携帯情報端末１とサービス提供サーバ６との間で行われる会員登録を仲介する。
（＃６）サービス提供サーバ６の制御部は、会員登録処理を行う。
【００２９】
次に、（Ｃ）は、会員証の発行処理である。
ここで、（＃７）から（＃１０）までは、携帯情報端末１のＦｅｌｉｃａチップ２ｂに会員証を発行する処理である。なお、（＃８）から（＃１０）までは、従来からのＦｅｌｉｃａの仕様にしたがって行われる処理である。
（＃７）携帯情報端末１の工程選択部１７ａは、Ｆｅｌｉｃａチップ２ｂに対する発行処理を選択して、Ｆｅｌｉｃａチップ２ｂに対する発行処理を開始する。
（＃８）会員発行サーバ４の誘導発行部４５ｂは、携帯情報端末１と、発行処理サーバ７との間で行う発行処理を支援する発行支援処理を行う。
（＃９）発行処理サーバ７の制御部は、携帯情報端末１から発行処理サーバ７に直接接続するための発行用ＵＲＬを送信する事前処理を行う。
（＃１０）携帯情報端末１の制御部１０は、会員発行サーバ４を介して受信した発行用ＵＲＬを用いて発行要求を発行処理サーバ７に対して行う。これに応じて、発行処理サーバ７の制御部は、携帯情報端末１のＦｅｌｉｃａチップ２ｂに発行データ用の領域を確保し、パーソナライズデータとして、例えば、会員番号を書き込む発行処理を行う。
これらの処理により、携帯情報端末１のＦｅｌｉｃａチップ２ｂには、Ｆｅｌｉｃａによるサービスのための発行処理が行われた状態になる。よって、携帯情報端末１は、Ｆｅｌｉｃａによる通信を使用した会員サービスを受けることができる。
【００３０】
次に、（＃１１）から（＃１３）までは、携帯情報端末１のＮＦＣチップ２ａに会員証を発行する処理である。
（＃１１）携帯情報端末１の工程選択部１７ａは、ＮＦＣチップ２ａに対する発行処理を選択して、ＵＩＭ管理サーバ９に対して一次発行を要求する。
（＃１２）ＵＩＭ管理サーバ９の制御部は、一次発行処理を行う。一次発行処理とは、会員証の発行に必要な情報を、ＵＩＭ３に書き込むことが可能かどうかの確認を行う処理である。書き込み可能であれば、ＵＩＭ管理サーバ９は、携帯情報端末１に対して発行用アプリ２４を送信する。
（＃１３）携帯情報端末１の制御部１０は、受信した発行用アプリ２４をＵＩＭ３にインストールした後に発行用アプリ２４を起動して、会員発行サーバ４に対して二次発行である発行処理を要求する。会員発行サーバ４の制御部４０は、携帯情報端末１のＵＩＭ３にパーソナライズデータとして、例えば、会員番号等のＩＤを書き込む発行処理を行う。
これらの処理により、携帯情報端末１のＵＩＭ３には、ＮＦＣによるサービスのための発行処理が行われた状態になる。よって、携帯情報端末１は、ＮＦＣによる通信を使用した会員サービスを受けることができる。
【００３１】
以上の処理により、会員発行システム１００は、会員登録処理を行い、携帯情報端末１に対してＦｅｌｉｃａ、ＮＦＣの通信規格に対応する会員証を発行できる。
【００３２】
次に、上述で説明した携帯情報端末１での発行処理の詳細を表示例と共に説明する。
図６及び図７は、第１実施形態に係る会員発行システム１００のメイン処理のフローチャートである。
図８は、第１実施形態に係る携帯情報端末１のタッチパネル３０での表示例を示す図である。
図９は、第１実施形態に係る会員発行システム１００の会員登録処理のフローチャートである。
図１０及び図１１は、第１実施形態に係る会員発行システム１００の会員証発行処理のフローチャートである。
【００３３】
図６のステップＳ（以下、「Ｓ」という。）１０において、携帯情報端末１の制御部１０は、アプリ配信サーバ８から会員発行アプリ２１をダウンロードして、記憶部２０に記憶する。ダウンロードの方法としては、例えば、インターネット上のコンテンツ配信サービスのページから、会員発行アプリ２１をダウンロードすることができる。なお、携帯情報端末１に予め会員発行アプリ２１がインストールされている場合（プレインストール時）には、このダウンロードの処理は不要である。
Ｓ１１において、例えば、携帯情報端末１のユーザによる会員発行アプリ２１の起動の操作にしたがって、制御部１０は、会員発行アプリ２１を起動する。なお、会員発行アプリ２１は、ダウンロードがされた後に自動的に起動するものであってもよい。
Ｓ１２において、通信規格確認部１１は、この携帯情報端末１の近距離無線通信の通信規格を確認する。例えば、通信規格確認部１１は、この携帯情報端末１のハードウェアを参照してチップ情報を取得する。この例では、携帯情報端末１は、Ｆｅｌｉｃａチップ２ｂ及びＮＦＣチップ２ａを有しており、がＦｅｌｉｃａを利用した通信とＮＦＣを利用した通信とが可能な端末である（図２参照）。よって、通信規格確認部１１は、通信規格として、「Ｆｅｌｉｃａ」と、「ＮＦＣ」とを取得する。
Ｓ１３において、通信規格送信部１２は、会員発行サーバ４に対して通信規格を送信する。
【００３４】
Ｓ１４において、会員発行サーバ４の通信規格受信部４１は、携帯情報端末１から通信規格を受信する。
Ｓ１５において、サービス情報抽出部４２は、携帯情報端末１から受信した通信規格に対応するサービス名（サービス情報）を、サービステーブル５１から抽出する。図４（ａ）を例に説明すると、サービス情報抽出部４２は、携帯情報端末１のＦｅｌｉｃａチップ２ｂ及びＮＦＣチップ２ａに対応した「○○カフェ会員証」、「○×ジム会員証」、「□△ショップ会員証」を、サービステーブル５１から抽出する。
また、図２とは異なり、携帯情報端末にＦｅｌｉｃａチップ２ｂのみが搭載されている場合は、受信した通信規格が「Ｆｅｌｉｃａ」のみである。その場合には、サービス情報抽出部４２は、図４（ａ）の例では、「○○カフェ会員証」、「○×ジム会員証」を、サービステーブル５１から抽出する。
また、反対に、携帯情報端末にＮＦＣチップ２ａのみが搭載されている場合は、受信した通信規格が「ＮＦＣ」のみである。その場合には、サービス情報抽出部４２は、図４（ａ）の例では、「○○カフェ会員証」、「□△ショップ会員証」を、サービステーブル５１から抽出する。
Ｓ１６において、サービス情報送信部４３は、携帯情報端末１に対して抽出したサービス名を送信する。
【００３５】
Ｓ１７において、携帯情報端末１のサービス情報受信部１３は、サービス名を会員発行サーバ４から受信する。
Ｓ１８において、表示制御部１４は、受信したサービス名を、タッチパネル３０に表示させる。
図８（ａ）は、会員発行アプリ２１を起動して、会員発行アプリ２１が上述の一連の処理を行った後にタッチパネル３０に表示される画面例である。図８（ａ）は、タッチパネル３０に、提供可能なサービス一覧として、会員発行サーバ４から受信したサービス名をタッチパネル３０に表示している。なお、会員発行サーバ４は、サービス名の他に、そのサービスの内容に関する情報を携帯情報端末１に送信しておいてもよい。その場合、サービス名にサービス内容を表示させるリンクをはっておき、ユーザがサービス名をタップ（選択）することで、そのサービスの内容を表示してもよい。また、各サービス名の左側には、チェックボックスが表示されている。ユーザがチェックボックス部分をタップすることで、チェックが入った状態になる。その状態でユーザが「次へ」をタップすることで、会員発行システム１００は、チェックが入ったチェックボックスに対応するサービスを発行する。
【００３６】
図６に戻り、Ｓ１９において、携帯情報端末１の制御部１０は、サービス名を受け付ける。これは、例えば、図８（ａ）の画面においてユーザが申込みをしたいサービスにチェックを入れて「次へ」を選択することで行うことができる。そして、発行指示送信部１５は、会員発行サーバ４に対してサービス名を送信する。
Ｓ２０において、会員発行サーバ４の会員登録処理部４４は、サービス名を受信する。
Ｓ２１において、会員登録処理部４４は、サービステーブル５１を参照し、サービス名に対応するｗｇｔ２２を携帯情報端末１に送信する。ここで、複数のサービス名を受信した場合には、会員発行サーバ４は、各々のサービス名に対応したｗｇｔ２２を、携帯情報端末１に送信するので、複数のｗｇｔ２２を送信する。
Ｓ２２において、携帯情報端末１の制御部１０は、ｗｇｔ２２を受信する。
【００３７】
図７のＳ２３において、制御部１０は、受信したｗｇｔ２２が複数ある場合には、そのうちの１つのｗｇｔ２２を起動させる。ｗｇｔ２２が起動することで、タッチパネル３０には、個人登録情報の入力画面が表示される。
図８（ｂ）は、「○○カフェ会員証」のｗｇｔ２２である「ｗｇｔＡ」が起動されることで、タッチパネル３０に表示された個人登録情報の入力画面の例である。
Ｓ２４及びＳ２４ａにおいて、携帯情報端末１の制御部１０及び会員発行サーバ４の制御部４０は、会員登録処理を行う。
【００３８】
ここで、会員登録処理について、図９に基づき説明する。
図９のＳ３０において、制御部１０は、個人登録情報の入力を受け付ける。これは、例えば、図８（ｂ）において、ユーザが個人登録情報を入力することで行うことができる。
Ｓ３１において、ユーザ情報送信部１６は、受け付けた個人登録情報を会員発行サーバ４に対して送信する。これは、例えば、図８（ｂ）において、ユーザが「次へ」を選択することで行うことができる。なお、その際に、ユーザ情報送信部１６は、携帯情報端末１を特定する識別情報として、例えば、ＵＩＭ３に付与されているＵＩＭコードを送信する。また、ユーザ情報送信部１６は、起動中のｗｇｔ２２で行われるサービスを特定するためのサービスコードを送信する。
Ｓ３２において、会員発行サーバ４の会員登録処理部４４は、個人登録情報を受信する。その際、会員登録処理部４４は、ＵＩＭコードと、サービスコードとを、個人登録情報と共に受信する。
Ｓ３３において、会員登録処理部４４は、サービス提供サーバ６との間で会員登録処理を行う。
【００３９】
会員発行サーバ４と、サービス提供サーバ６との間で行う会員登録処理は、次のような手順で行われる。
（１）会員発行サーバ４が、携帯情報端末１から受信した個人登録情報を、サービスコードに基づき該当するサービス提供サーバ６に送信する。
（２）サービス提供サーバ６は、受信した個人登録情報に基づき会員登録を行う。サービス提供サーバ６は、図示しない会員情報データベースに、そのユーザの会員情報を登録する。
（３）サービス提供サーバ６は、登録完了結果を会員発行サーバ４に送信する。会員登録が正常に行われた場合には、サービス提供サーバ６は、例えば、会員番号等のＩＤを会員発行サーバ４に対して送信する。
（４）会員発行サーバ４は、ユーザテーブル５２に、ＵＩＭコードと、サービスコードと、会員番号とを登録する。
【００４０】
Ｓ３４において、会員発行サーバ４の会員登録処理部４４は、携帯情報端末１に対して登録結果を送信する。その後、制御部４０は、処理を図７に戻す。
Ｓ３５において、携帯情報端末１の制御部１０は、登録結果を受信する。その後、制御部１０は、処理を図７に戻す。
【００４１】
図７に戻り、Ｓ２５及びＳ２５ａにおいて、携帯情報端末１の制御部１０及び会員発行サーバ４の制御部４０は、会員証発行処理を行う。
ここで、会員証発行処理について、図１０及び図１１に基づき説明する。
図１０のＳ５０において、発行処理部１７は、Ｆｅｌｉｃａチップ２ｂに会員証を発行するか否かを判断する。Ｆｅｌｉｃａチップ２ｂに会員証を発行する場合（Ｓ５０：ＹＥＳ）には、制御部１０は、処理をＳ５１に移す。他方、Ｆｅｌｉｃａチップ２ｂに会員証を発行しない場合（Ｓ５０：ＮＯ）には、制御部１０は、処理を図１１のＳ５７に移す。
例えば、起動中のｗｇｔ２２が「○○カフェ会員証」である「ｗｇｔＡ」である場合には、図４（ａ）により、Ｆｅｌｉｃａチップ２ｂに会員証を発行する場合に該当する。
Ｓ５１からＳ５６までの処理は、Ｆｅｌｉｃａチップ２ｂに対する発行処理である。この発行処理は、上述した図５の（＃７）〜（＃１０）に対応する。
Ｓ５１において、発行処理部１７は、Ｆｅｌｉｃａチップ２ｂに会員証を発行するためのチケット生成リクエスト（発行処理要求）を、会員発行サーバ４に対して送信する。
【００４２】
Ｓ５２において、会員発行サーバ４の誘導発行部４５ｂは、チケット生成リクエストを受信する。
Ｓ５３において、会員発行サーバ４の誘導発行部４５ｂは、発行処理サーバ７との間で発行支援処理を行う。発行支援処理は、以下の手順で行われる。
（１）会員発行サーバ４の誘導発行部４５ｂは、発行処理サーバ７に対して認証リクエスト（認証要求）をする。
（２）発行処理サーバ７の制御部は、携帯情報端末１から発行処理サーバ７に直接接続するための接続ＵＲＬを、会員発行サーバ４に対して送信する。
Ｓ５４において、誘導発行部４５ｂは、受信した接続ＵＲＬを、Ｆｅｌｉｃａ発行リクエストとして、携帯情報端末１に送信する。
【００４３】
Ｓ５５において、携帯情報端末１の発行処理部１７は、Ｆｅｌｉｃａ発行リクエストとして、接続ＵＲＬを受信する。
Ｓ５６において、発行処理部１７は、発行処理サーバ７との間で発行処理を行う。携帯情報端末１と、発行処理サーバ７との間での発行処理は、以下の手順で行われる。
（１）携帯情報端末１の発行処理部１７は、接続ＵＲＬを用いて発行要求（第２発行処理要求）を発行処理サーバ７に対して行う。
（２）発行処理サーバ７の制御部は、携帯情報端末１のＦｅｌｉｃａチップ２ｂに発行データ用の領域を確保する。
（３）発行処理サーバ７の制御部は、パーソナライズデータとして、例えば、会員番号をＦｅｌｉｃａチップ２ｂに書き込むための発行データを、携帯情報端末１に送信する。
（４）携帯情報端末１の発行処理部１７は、発行データを受信し、Ｆｅｌｉｃａチップ２ｂに書き込む。
これらの処理により、携帯情報端末１のＦｅｌｉｃａチップ２ｂには、Ｆｅｌｉｃａによる通信を利用した発行処理が行われた状態になる。この処理によって、携帯情報端末１は、ｗｇｔ２２に対応するサービスを、Ｆｅｌｉｃａによる通信を使用して受けることができる。
【００４４】
図１１のＳ５７において、発行処理部１７は、ＮＦＣチップ２ａに会員証を発行するか否かを判断する。ＮＦＣチップ２ａに会員証を発行する場合（Ｓ５７：ＹＥＳ）には、制御部１０は、処理をＳ５８に移す。他方、ＮＦＣチップ２ａに会員証を発行しない場合（Ｓ５７：ＮＯ）には、制御部１０は、処理を図７に戻す。
例えば、起動中のｗｇｔ２２が「○○カフェ会員証」である「ｗｇｔＡ」である場合には、図４（ａ）により、ＮＦＣチップ２ａに会員証を発行する場合に該当する。
【００４５】
Ｓ５８からＳ６３までの処理は、ＮＦＣチップ２ａに対する発行処理である。この発行処理は、上述した図５の（＃１１）〜（＃１３）に対応する。
Ｓ５８において、携帯情報端末１の発行処理部１７は、ＵＩＭ管理サーバ９との間で処理を行う。具体的には、携帯情報端末１の工程選択部１７ａは、ＮＦＣチップ２ａに対する発行処理を選択する。そして、発行処理部１７は、ＵＩＭ管理サーバ９に対して一次発行を要求する。一次発行は、会員証の発行に必要な情報を、ＵＩＭ３に書き込むことが可能かどうかの確認を行う処理である。ＵＩＭ３に書き込み可能であれば、ＵＩＭ管理サーバ９は、携帯情報端末１に対して発行用アプリ２４を送信する。制御部１０は、受信した発行用アプリ２４をＵＩＭ３に記憶させる。
Ｓ５９において、発行処理部１７は、ＵＩＭ３にインストールした発行用アプリ２４を起動する。
Ｓ６０において、発行処理部１７は、会員発行サーバ４に対して二次発行の発行処理要求を送信する。
【００４６】
Ｓ６１において、会員発行サーバ４の直接発行部４５ａは、発行処理の要求を受信する。
Ｓ６２において、直接発行部４５ａは、パーソナライズデータとして、会員番号等のＩＤを含む発行データを生成して、携帯情報端末１に送信する。
Ｓ６３において、携帯情報端末１の発行処理部１７は、発行データを受信し、ＵＩＭ３にパーソナライズデータを書き込む発行処理を行う。その後、制御部１０は、処理を図７に戻す。
これらの処理により、携帯情報端末１のＵＩＭ３には、ＮＦＣによる通信を利用した発行処理が行われた状態になる。これらの処理によって、携帯情報端末１は、ｗｇｔ２２に対応するサービスを、ＮＦＣによる通信を使用して受けることができる。
【００４７】
図７に戻り、Ｓ２６において、携帯情報端末１の制御部１０は、起動中のｗｇｔ２２を終了する。
Ｓ２７において、制御部１０は、受信した全てのｗｇｔ２２に対して処理を行ったか否かを判断する。全てのｗｇｔ２２に対して処理を行った場合（Ｓ２７：ＹＥＳ）には、制御部１０は、処理をＳ２９に移す。他方、全てのｗｇｔ２２に対して処理を行っていない場合（Ｓ２７：ＮＯ）には、制御部１０は、処理をＳ２８に移す。
なお、図８（ｃ）（ｅ）は、上述の会員登録処理での個人登録情報の送信（図９のＳ３１）後から会員証発行処理の間にタッチパネル３０に表示される画面例である。図８（ｃ）（ｅ）に示すように、タッチパネル３０には、進行状況を視覚的に表すことが望ましい。このようにすることで、処理待ちの際にユーザに与えるストレスを軽減できる。
【００４８】
図７に戻り、Ｓ２８において、制御部１０は、受信したｗｇｔ２２のうち未起動のｗｇｔ２２の中から１つを選択して起動させる。その後、制御部１０は、処理をＳ２４に移す。
図８（ｄ）は、「□△ショップ会員証」のｗｇｔ２２である「ｗｇｔＣ」が起動されることで、タッチパネル３０に表示された個人登録情報の入力画面の例である。
このように、サービスごとに会員登録に必要な個人登録情報が異なるので、ユーザは、サービスごとに個人登録情報を入力する必要がある。
なお、「□△ショップ会員証」のｗｇｔ２２である「ｗｇｔＣ」での処理は、図４（ａ）に示すように、「□△ショップ会員証」が「ＮＦＣ」のみの発行であるので、上述のＦｅｌｉｃａチップ２ｂには会員証を発行せず（図１０のＳ５０で「ＮＯ」が選択）、ＮＦＣチップ２ａに会員証を発行する（図１１のＳ５７で「ＹＥＳ」が選択）ことになる。
図７に戻り、Ｓ２９において、制御部１０は、会員証の発行結果画面をタッチパネル３０に表示させる。その後、制御部１０は、本処理を終了する。
図８（ｆ）は、Ｓ２９においてタッチパネル３０に表示される画面例である。このように、複数のサービスの会員証を一度に発行できる。
【００４９】
次に、会員証が発行された携帯情報端末１の使用例を説明する。
ここでは、ユーザが「○○カフェ」に行き、会員発行アプリ２１を起動中にして携帯情報端末１の「○○カフェ」の会員証を選択することで、会員サービスを受ける場合について説明する。
「○○カフェ」のレジに備えられたリーダライタ（図示せず）は、定期的（例えば、１秒ごと）にＥＭＶ（Ｅｕｒｏｐａｙ、ＭａｓｔｅｒＣａｒｄ（登録商標）、ＶＩＳＡ（登録商標）の略）のポーリング（要求問合せ）とＦｅｌｉｃａのポーリングとを繰り返すものとする。ＥＭＶのポーリングは、ＮＦＣチップ２ａが応答可能であり、Ｆｅｌｉｃａのポーリングは、Ｆｅｌｉｃａチップ２ｂが応答可能である。
ユーザが携行する携帯情報端末１には、上述で説明した処理によって「○○カフェ」の会員証の発行処理がＮＦＣチップ２ａとＦｅｌｉｃａチップ２ｂとに対して行われている。
ユーザが携帯情報端末１をかざしてリーダライタに近づけたときに、リーダライタがポーリングしたものに、携帯情報端末１が応答することになる。よって、ポーリングがＥＭＶの場合には、ＮＦＣチップ２ａが応答し、ポーリングがＦｅｌｉｃａの場合には、Ｆｅｌｉｃａチップ２ｂが応答することになる。
リーダライタが「○○カフェ」の会員証が選択された状態の携帯情報端末１の会員証を確認することで、携帯情報端末１のユーザは、例えば、割引のサービスを受けることができる。
【００５０】
このように、第１実施形態によれば、以下のような効果がある。
（１）会員発行システム１００は、携帯情報端末１からその携帯情報端末１が有する近距離無線通信の通信規格（例えば、Ｆｅｌｉｃａ規格やＮＦＣ規格）を受信することで、通信規格に対応したサービスの発行処理を、携帯情報端末１のセキュアな記憶領域（Ｆｅｌｉｃａチップ２ｂやＵＩＭ３）に対して行うことができる。
会員発行サーバに登録するサービス情報は、サービス提供者がどの通信規格による会員サービスを提供するかを含めて決めて会員発行サーバ４に登録することができる。よって、サービス提供者は、自社のサービスをどこの地域で展開するかを決めて、そのサービスを提供する通信規格を決めることができる。
（２）会員発行システム１００は、携帯情報端末１の通信規格に対応するサービス情報をその携帯情報端末１に送信することで、携帯情報端末１では、発行処理を行うサービス情報を選択して指示できる。そして、会員発行システム１００は、携帯情報端末１からユーザによる発行指示を受信することによって、発行処理を行うことができる。よって、ユーザが、そのサービスの発行処理をするかしないかを選択できる。
【００５１】
（３）会員発行システム１００は、会員発行サーバ４によるサービス提供サーバ６に対する会員登録処理と、携帯情報端末１に対して行う通信規格に対応した発行処理とを一連で行うことができる。
（４）会員発行システム１００は、携帯情報端末１のユーザの個人登録情報を、携帯情報端末１から受信して会員登録処理を行うので、個人登録情報を使用して会員登録処理を行うことができる。そして、サービスごとに必要な個人登録情報が異なる場合でも対応できる。
【００５２】
（５）会員発行システム１００は、通信規格に応じて、通信先の異なる第１工程と第２工程とを選択して発行処理をすることができる。そして、その工程は、ＮＦＣチップ２ａに対応した会員発行サーバ４による発行処理を行うための第１発行処理（第１工程）と、Ｆｅｌｉｃａチップ２ｂに対応した発行処理サーバ７による発行処理を行うための第２発行処理（第２工程）とにすることができる。
また、会員発行システム１００は、従前のＦｅｌｉｃａに対する発行システムに、ＮＦＣに対する発行処理の仕組みを追加することで、従前の会員に対してもＮＦＣ規格を利用できるようにできる。
（６）会員発行システム１００は、発行処理の順序をＦｅｌｉｃａチップ２ｂに対応した発行処理サーバ７による発行処理を行い、その後にＮＦＣチップ２ａに対応した会員発行サーバ４による発行処理を行う。これにより、発行処理の途中で中断した場合であっても、Ｆｅｌｉｃａチップ２ｂのみを使用できる可能性があるため、申込者にとって利便性の高いシステムを提供できる。
【００５３】
（第２実施形態）
第２実施形態では、携帯情報端末に既に会員証の発行処理済のサービスを記憶させて、未発行のサービスを表示させるものを説明する。なお、以降の説明において、上述した第１実施形態と同様の機能を果たす部分には、同一の符号又は末尾に同一の符号を付して、重複する説明を適宜省略する。
図１２は、第２実施形態に係る携帯情報端末２０１の機能構成を示す図である。
携帯情報端末２０１の制御部２１０は、表示制御部２１４（サービス情報表示手段）を備える。
表示制御部２１４は、サービス情報受信部１３が受信したサービス情報のうち、サービス情報記憶部２２２に記憶されているものを除くサービス情報、つまり未発行のサービスのサービス情報を、タッチパネル３０に表示させる。
携帯情報端末２０１の記憶部２２０は、会員発行アプリ２２１と、サービス情報記憶部２２２（サービス記憶部）とを備える。
会員発行アプリ２２１は、携帯情報端末２０１の制御部２１０による各種機能を実行するためのプログラムである。
サービス情報記憶部２２２は、会員証の発行処理済のサービス名を記憶する。
【００５４】
次に、携帯情報端末２０１での発行処理の詳細を説明する。
図１３及び図１４は、第２実施形態に係る会員発行システム２００のメイン処理のフローチャートである。
図１３のＳ２１０からＳ２１７までは、図６のＳ１０からＳ１７までと同様である。
図１３のＳ２１７ａにおいて、携帯情報端末２０１の表示制御部２１４は、サービス情報記憶部２２２を参照し、提供可能なサービス名を取得する。
Ｓ２１８において、表示制御部２１４は、取得したサービス名を、タッチパネル３０に表示させる。
図１３のＳ２１９から図１４のＳ２２６までは、図６のＳ１９からＳ２６までと同様である。
図１４のＳ２２６ａにおいて、制御部２１０は、起動を終了したｗｇｔ２２に対応するサービス名を、サービス情報記憶部２２２に記憶させる。
図１４のＳ２２７からＳ２２９までは、図７のＳ２７からＳ２９までと同様である。
【００５５】
このように、第２実施形態によれば、以下のような効果がある。
携帯情報端末２０１は、会員発行サーバ４から受信したサービス情報のうち、発行処理がされていないサービス情報のみを表示させることができる。ユーザは、未発行のサービスを確認でき、必要なサービスを追加できる。
【００５６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５７】
（変形形態）
（１）各実施形態では、携帯情報端末は、ＮＦＣチップ、ＦｅｌｉｃａチップとＵＩＭとを有するものとして説明したが、これらに限定されない。ＮＦＣチップ、Ｆｅｌｉｃａチップは、あくまで一例であって、ＮＦＣやＦｅｌｉｃａの仕様により作成されたものではないＩＣチップであってもよい。また、ＵＩＭに代わるものとして、マイクロＳＤカード等の携帯情報端末から取り外し可能な記憶媒体であってもよいし、取り外しが不可のモジュールであってもよい。
（２）各実施形態では、携帯情報端末は、ＮＦＣチップとＦｅｌｉｃａチップとの２つのチップを有するものとして説明した。しかし、ＮＦＣとＦｅｌｉｃａとの機能を有する１つのチップであってもよい。
（３）各実施形態では、発行処理の順番として、Ｆｅｌｉｃａチップに対する処理を行った後にＮＦＣチップに対する処理を行うものとして説明した。これは、発行処理に要する時間がＦｅｌｉｃａチップに対する処理の方が短いため、処理途中での通信エラーを考慮すると、Ｆｅｌｉｃａチップに対する処理を初めに行う方が望ましいからである。しかし、ＮＦＣチップに対する処理を行った後にＦｅｌｉｃａチップに対する処理を行ってもよい。その際、発行処理の途中でのエラー時に、再発行処理を行うことを考慮すると、発行処理の順番は、統一することが望ましい。
【００５８】
（４）各実施形態では、複数のサービスについて一度に登録処理を行う場合に、会員登録処理と、発行処理とを１サイクルとして複数回行うものとして説明した。しかし、会員登録処理を複数回分行ってから、発行処理を１つずつ順番に行うようにしてもよい。
（５）各実施形態では、携帯情報端末のユーザが該当のサービスの会員登録をしていない場合に、会員登録後に会員証の発行処理を行う処理について説明した。しかし、携帯情報端末のユーザが該当のサービスの会員登録をしている場合に、そのユーザの携帯情報端末に会員証を発行するものであってもよい。その場合には、会員登録処理を、次のようにすればよい。
携帯情報端末からそのユーザの会員番号等のＩＤと、パスワード等の認証情報とを送信することで、会員発行サーバが、サービス提供サーバとの間で会員確認処理を行う。そして、会員確認処理が正常に行われたことで、そのユーザの携帯情報端末に会員証を発行する発行処理を行う。
そのようにすることで、既に会員登録済のユーザであって、例えば、携帯情報端末を変更した場合や、カード等の媒体から携帯情報端末に移行する場合等であっても、携帯情報端末に会員証を発行できる。
【００５９】
（６）各実施形態では、携帯情報端末を用いてユーザが個人登録情報を入力して、会員登録処理を行うものとして説明した。しかし、例えば、会員発行サーバに個人登録情報として氏名、住所、電話番号等の基本情報を有しておき、会員発行サーバの個人登録情報を用いて会員登録処理を行うものであってもよい。そのような場合には、携帯情報端末からユーザの承諾の指示を受信することにより、会員発行サーバの個人登録情報を用いて会員登録処理を行う。そのようにすることで、ユーザは個人登録情報を入力する労力を省け、しかも、入力間違い等のミスの発生を抑制できる。
【００６０】
（７）各実施形態では、携帯情報端末を、スマートフォンに代表される個人用の携帯コンピュータの機能を併せ持った携帯電話機として説明したが、これに限定されない。
（８）各実施形態では、サービス提供サーバは、会員証の発行によるサービスを利用するものとして説明したが、これに限定されない。
（９）各実施形態では、サービス名の一覧を表示するものとして説明した。しかし、サービス名の他に、「Ｆｅｌｉｃａ」、「ＮＦＣ」等の通信規格も含めて表示してもよい。そして、ユーザに、「Ｆｅｌｉｃａ」、「ＮＦＣ」等の通信規格を選択させるようにしてもよい。
（１０）第２実施形態では、携帯情報端末にサービス情報記憶部を備え、会員発行サーバから受信したサービス名のうち、その携帯情報端末で未発行のサービス名を表示するものとして説明した。しかし、会員発行サーバのユーザテーブルを用いて、その携帯情報端末で未発行のサービス名を抽出して、会員発行サーバが携帯情報端末に送信することで、その携帯情報端末で未発行のサービス名を表示するようにしてもよい。
【符号の説明】
【００６１】
１    携帯情報端末
２ａ  ＮＦＣチップ
２ｂ  Ｆｅｌｉｃａチップ
３    ＵＩＭ
４    会員発行サーバ
６    サービス提供サーバ
７    発行処理サーバ
８    アプリ配信サーバ
９    ＵＩＭ管理サーバ
１０，４０，２１０  制御部
１１  通信規格確認部
１２  通信規格送信部
１３  サービス情報受信部
１４，２１４  表示制御部
１５  発行指示送信部
１６  ユーザ情報送信部
１７  発行処理部
１７ａ  工程選択部
２０，５０，２２０  記憶部
２１，２２１  会員発行アプリ
２２  ｗｇｔ
２４  発行用アプリ
３０  タッチパネル
４１  通信規格受信部
４２  サービス情報抽出部
４３  サービス情報送信部
４４  会員登録処理部
４５  発行処理部
４５ａ  直接発行部
４５ｂ  誘導発行部
５１  サービステーブル
５２  ユーザテーブル
１００，２００  会員発行システム
２２２  サービス情報記憶部
Ｎ    通信ネットワーク
【図１】
2014219732.tif 000003
【図２】
2014219732.tif 000004
【図３】
2014219732.tif 000005
【図４】
2014219732.tif 000006
【図５】
2014219732.tif 000007
【図６】
2014219732.tif 000008
【図７】
2014219732.tif 000009
【図８】
2014219732.tif 000010
【図９】
2014219732.tif 000011
【図１０】
2014219732.tif 000012
【図１１】
2014219732.tif 000013
【図１２】
2014219732.tif 000014
【図１３】
2014219732.tif 000015
【図１４】
2014219732.tif 000016